(57)【要約】【課題】多種類の環境監視装置と無線通信装置とを組み合わせ、扇風機の動作を遠隔監視制御する、ネットワークスマート型ホーム監視制御扇風機を提供する。【解決手段】ネットワークスマート型ホーム監視制御扇風機は、扇風機本体１、制御モジュール２、撮影レンズモジュール３、温度センサモジュール４、無線通信モジュール５及び音声モジュール６を備える。扇風機本体１は、制御モジュール２と電気的に接続される。制御モジュール２は、撮影レンズモジュール３と電気的に接続される。撮影レンズモジュール３は、超広角レンズモジュール、魚眼レンズモジュール及び夜間撮影レンズモジュールのうちの少なくとも１つである。【選択図】図５
0003218675.tif 000002
【実用新案登録請求の範囲】
【請求項１】
扇風機本体、制御モジュール、撮影レンズモジュール、温度センサモジュール、無線通信モジュール及び音声モジュールを備えたネットワークスマート型ホーム監視制御扇風機であって、
前記扇風機本体は、前記制御モジュールと電気的に接続され、
前記制御モジュールは、有線制御モジュール及び無線制御モジュールのうちの少なくとも何れか１つを含むとともに、前記撮影レンズモジュールと電気的に接続され、
前記撮影レンズモジュールは、超広角レンズモジュール、魚眼レンズモジュール及び夜間撮影レンズモジュールのうちの少なくとも１つであり、
前記無線通信モジュールは、赤外線通信モジュール、ブルートゥース（登録商標）通信モジュール及び無線ネットワーク通信モジュールのうちの少なくとも何れか１つを含み、
前記音声モジュールは、集音装置及びスピーカーのうちの少なくとも何れか１つを含むことを特徴とする、
ネットワークスマート型ホーム監視制御扇風機。
【請求項２】
統合リモコン装置をさらに備え、前記無線通信モジュールを介して前記扇風機本体の稼働を制御することを特徴とする請求項１に記載のネットワークスマート型ホーム監視制御扇風機。
【請求項３】
モバイル機器及びアプリケーションモジュールをさらに備え、前記ネットワークスマート型ホーム監視制御扇風機を制御することを特徴とする請求項１に記載のネットワークスマート型ホーム監視制御扇風機。
【請求項４】
前記制御モジュールは、操作スクリーンを有することを特徴とする請求項１に記載のネットワークスマート型ホーム監視制御扇風機。
【考案の詳細な説明】
【技術分野】
【０００１】
本考案は、ネットワークスマート型ホーム監視制御扇風機に関し、特に、多種類の環境監視装置と無線通信装置とを組み合わせ、扇風機の動作を遠隔監視制御する、ネットワークスマート型ホーム監視制御扇風機に関する。
【背景技術】
【０００２】
平均的な環境温度が年々上昇するに従い、家電製品に通風して放熱する必要性が高くなっている。空冷システムは環境温度を効果的に下げることができるが、空気を流通させることができない上、空冷システムの体積が大きめであるため、その応用は制限を受けた。
扇風機は空気を流通させることができ、もし空冷とともに使用すると、空冷システムの稼働効率を高めることができる。また、扇風機は、例えば、大型の工業用扇風機、家庭用扇風機、他の電気製品に取付けた小型扇風機（例えばＰＣ用扇風機）など各種ニーズに応じてサイズ又は形態を変えることができるため、その応用範囲は広く、様々な扇風機が開発されている。
【０００３】
特許文献１が開示する温度センサ機能を有する扇風機は、吸気口及び排風口を有する扇風機本体を含み、吸気口と排風口との間には旋回可能なファンホイールが設けられ、吸気口又は排風口に温度センサが配設される。
温度センサは、延伸部材を介して吸気口又は排風口に吊下げる。延伸部材は、扇風機本体に結合される。吸気口又は排風口には、ストッパ部が設置されて延伸部材が係止される。そのため、扇風機は、温度センサ機能を有するとともに、係止部により延伸部材の位置がずれてファンホイールに当たることを防ぎ、温度センサのセンサ機能が悪影響を受けることを防ぐことができる。
【０００４】
特許文献２が開示するスマート型温度制御直流扇風機は、扇風機本体及び回路基板を含む。回路基板は、温度検出部材、マイクロプロセッサ及び駆動回路を含む。温度検出部材は、外界温度を検出し、温度信号をマイクロプロセッサへ送信する。マイクロプロセッサは、温度信号に基づいて回転数指令を駆動回路へ対応して伝送する。駆動回路は、回転数指令に基づいて扇風機のモータ回転数を制御する。
本考案は、温度検出部材を回路基板と統合し、扇風機の温度制御機能の配線の体積を減らすことができる上、外部の電子機器と情報の送受信を行う正確度及び即時性を向上させることができる。
【０００５】
こうした現状に鑑み、本考案者は鋭意研究を重ねた結果、本考案のネットワークスマート型ホーム監視制御扇風機を完成したものである。
【先行技術文献】
【特許文献】
【０００６】
【特許文献１】台湾特許第Ｉ５７５１６２号公報
【特許文献２】台湾実用新案登録第Ｍ４５７７８２号公報
【考案の概要】
【考案が解決しようとする課題】
【０００７】
本考案の主な目的は、多種類の環境監視装置と無線通信装置とを組み合わせ、扇風機の動作を遠隔監視制御する、ネットワークスマート型ホーム監視制御扇風機を提供することにある。
【課題を解決するための手段】
【０００８】
上記課題を解決するために、本考案の第１の形態によれば、扇風機本体、制御モジュール、撮影レンズモジュール、温度センサモジュール、無線通信モジュール及び音声モジュールを備えたネットワークスマート型ホーム監視制御扇風機であって、前記扇風機本体は、前記制御モジュールと電気的に接続され、前記制御モジュールは、有線制御モジュール及び無線制御モジュールのうちの少なくとも何れか１つを含むとともに、前記撮影レンズモジュールと電気的に接続され、前記撮影レンズモジュールは、超広角レンズモジュール、魚眼レンズモジュール及び夜間撮影レンズモジュールのうちの少なくとも１つであり、前記無線通信モジュールは、赤外線通信モジュール、ブルートゥース（登録商標）通信モジュール及び無線ネットワーク通信モジュールのうちの少なくとも何れか１つを含み、前記音声モジュールは、集音装置及びスピーカーのうちの少なくとも何れか１つを含むことを特徴とするネットワークスマート型ホーム監視制御扇風機を提供する。
【０００９】
統合リモコン装置をさらに備え、前記無線通信モジュールを介して前記扇風機本体の稼働を制御することが好ましい。
【００１０】
モバイル機器及びアプリケーションモジュールをさらに備え、前記ネットワークスマート型ホーム監視制御扇風機を制御することが好ましい。
【００１１】
前記制御モジュールは、操作スクリーンを有することが好ましい。
【考案の効果】
【００１２】
本考案のネットワークスマート型ホーム監視制御扇風機は、環境温度の変化を検出し、制御モジュールのプログラムにより扇風機の稼働を自動的にＯｎ・Ｏｆｆして環境温度を調整し、組み合わせた無線通信モジュール、撮影レンズモジュール及び音声モジュールによりユーザが目標物の状況を観察した後、本考案の監視制御扇風機を遠隔制御することができる。
そのため、本考案は、制御モジュールのプログラムにより扇風機の稼働を監視制御することができる上、ユーザが無線通信モジュールにより扇風機の稼働を遠隔制御することもでき、制御モジュールはクーラーなどその他の電気設備を駆動することもできる。このため、目標物の全体の環境状況をリアルタイムで観察したり、監視したり、制御したりすることができる。
【図面の簡単な説明】
【００１３】
【図１】本考案の一実施形態に係るネットワークスマート型ホーム監視制御扇風機を示す斜視図である。
【図２】本考案の一実施形態に係るネットワークスマート型ホーム監視制御扇風機を示す側面図（１）である。
【図３】本考案の一実施形態に係るネットワークスマート型ホーム監視制御扇風機を示す側面図（２）である。
【図４】本考案の他の実施形態に係るネットワークスマート型ホーム監視制御扇風機を示す斜視図である。
【図５】本考案の一実施形態に係るネットワークスマート型ホーム監視制御扇風機の各モジュールの関係を示すブロック図である。
【図６】本考案の一実施形態に係るネットワークスマート型ホーム監視制御扇風機の遠隔制御インタフェースを示す説明図である。
【図７】本考案の一実施形態に係るネットワークスマート型ホーム監視制御扇風機の撮影レンズモジュールの実際の作用を示す説明図である。
【考案を実施するための形態】
【００１４】
以下、本考案の実施形態について図に基づいて説明する。なお、これによって本考案が限定されるものではない。
【００１５】
本考案のネットワークスマート型ホーム監視制御扇風機は、環境温度に応じて自動的に扇風機をＯｎ・Ｏｆｆし、扇風機の風速又は風量を調整したり、ユーザが扇風機を遠隔制御し、環境の全体状況を監視制御することができる。
【００１６】
図１、図２及び図３を参照する。図１、図２及び図３に示すように、本考案の一実施形態に係るネットワークスマート型ホーム監視制御扇風機は、扇風機本体１、制御モジュール２、撮影レンズモジュール３、温度センサモジュール４、無線通信モジュール５及び音声モジュール６を含む。
【００１７】
本実施形態の扇風機本体１はリビング扇風機である。扇風機本体１は、制御モジュール２と電気的に接続される。制御モジュール２は、有線制御モジュール及び無線制御モジュールのうちの少なくとも何れか１つを含むとともに、撮影レンズモジュール３と電気的に接続される。
撮影レンズモジュール３は、扇風機本体１の前側に取り付けられる。撮影レンズモジュール３は、図２に示すように、保護ガード１１の前側に取り付けられるか、図３に示すように、スタンドポール１２の前側に取り付けられてもよい。また、温度センサモジュール４、無線通信モジュール５及び音声モジュール６は、扇風機本体１の上側、前側、横側又は後側に設置される。
【００１８】
制御モジュール２は、有線制御モジュール又は無線制御モジュールでもよい。図１の実施形態のように、制御モジュール２は、扇風機本体１に設置してもよい上、操作スクリーン２１及び複数の操作ボタン２２を含む。操作スクリーン２１は、タッチ式スクリーンでもよいため、統合リモコン装置又はモバイル機器を介さずに本考案のネットワークスマート型ホーム監視制御扇風機を直接制御してもよい。また、撮影レンズモジュール３は、これだけに限定されるわけではないが、撮影レンズが観察することができる範囲を広げるために超広角レンズ又は魚眼レンズにしてもよいし、夜間撮影レンズにしてもよい。扇風機本体１が稼働することにより発生する振動が撮影レンズモジュール３の安定性に悪影響を与えることを防ぐために、撮影レンズモジュール３上に振動防止装置を設けてもよい。温度センサモジュール４は、これらだけに限定されるわけではないが、熱電対（ｔｈｅｒｍｏｃｏｕｐｌｅ）、サーミスタ（ｔｈｅｒｍｉｓｔｏｒ）又は測温抵抗体（ｒｅｓｉｓｔａｎｃｅ  ｔｅｍｐｅｒａｔｕｒｅ  ｄｅｔｅｃｔｏｒ）でもよい。
【００１９】
無線通信モジュール５は、赤外線通信モジュール、ブルートゥース通信モジュール及び無線ネットワーク（Ｗｉ−Ｆｉ（登録商標））通信モジュールのうちの少なくとも何れか１つでもよい。図２に示すように、各通信モジュールは、必要に応じて扇風機本体１の様々な場所に設置してもよい。例えば、赤外線通信モジュールは有効距離が短くて透過性が無いため、赤外線通信モジュール５１をリビング扇風機である扇風機本体１の高めの位置に設置して信号を受信し易くしてもよい。
【００２０】
音声モジュール６は、集音装置及びスピーカーのうちの少なくとも何れか１つを含む。集音装置は、これらだけに限定されるわけではないが、コンデンサマイクロホン（ｃｏｎｄｅｎｓｅｒ  ｍｉｃｒｏｐｈｏｎｅ）又はダイナミックマイクロホン（ｄｙｎａｍｉｃ  ｍｉｃｒｏｐｈｏｎｅ）でもよい。マイクロホンの指向性は、全指向性（ｏｍｎｉｄｉｒｅｃｔｉｏｎａｌ）、単一指向性（例えば、カージオイド又はハイパーカージオイド）又は双指向性（ｂｉ−ｄｉｒｅｃｔｉｏｎａｌ）マイクロホンでもよい。
【００２１】
図４を参照する。図４に示すように、本実施形態の扇風機本体１は、天井に取り付けられた天井付け扇風機でもよく、撮影レンズモジュール３が扇風機本体１前に取り付けられ、制御モジュール２、温度センサモジュール４、無線通信モジュール５及び音声モジュール６が扇風機本体１の同一側に取り付けられる。
【００２２】
本実施形態は、統合リモコン装置（ｉｎｔｅｇｒａｔｅｄ  ｒｅｍｏｔｅ    ｃｏｎｔｒｏｌ）をさらに含んでもよく、この統合リモコン装置は、赤外線通信モジュールなどにより、風力の強弱、リビング扇風機の首振り方向など、扇風機本体の稼働を制御してもよい。本考案は、モバイル機器と、それと組み合わせたアプリとにより遠隔制御を行ってもよい。
【００２３】
図５を参照する。図５に示すように、実際に稼働する際、温度センサモジュール４は、環境温度を検出する。もし環境温度が所望の設定温度より高い場合、温度センサモジュール４は、制御モジュール２へ信号を送信する。このとき制御モジュール２は、扇風機本体１を直接Ｏｎするか、温度センサモジュール４が無線通信モジュール５（例えば無線ネットワーク（Ｗｉ−Ｆｉ）通信モジュール）を介してメッセージを所定のコンピュータ、統合リモコン装置又はモバイル機器へ送信し、ユーザが信号を受信すると、コンピュータ、統合リモコン装置又はモバイル機器を介して無線通信モジュール５から制御モジュール２へ指令を伝達し、制御モジュール２により扇風機を起動して扇風機の風速又は風量の大小を調整する。
扇風機本体１を一定時間駆動させても環境温度が下がらない場合、制御モジュール２は、ユーザが予め設定した指令に基づき、無線通信モジュール５は、その他電気設備の稼働を制御する。例えば、２台目の扇風機又はクーラーをＯｎし、扇風機本体１とともに稼働させる。扇風機本体１が一定時間稼働した後、環境温度が下がってユーザが予め設定した温度に達すると、制御モジュール２は、ユーザが設定した制御ステップに基づいて扇風機本体１の風速を調整するか、扇風機本体１をＯｆｆし、無線通信モジュール５によりその他の電気設備を制御してもよい。また、ユーザは、随時、統合リモコン装置又はモバイル機器により、温度センサモジュール４が測定した環境温度に基づき、風速、風量を手動で調整したり扇風機をＯｆｆしたりすることができる。
【００２４】
また、撮影レンズモジュール３及び音声モジュール６は、無線通信モジュール５を介して環境画像及び環境音声をそれぞれコンピュータ、統合リモコン装置又はモバイル機器へ送信し、ユーザは本考案のネットワークスマート型ホーム監視制御扇風機の周囲の環境を随時、監視制御することができる。例えば、夏のペットが１匹で家にいるとき、撮影レンズモジュール３をペット用カメラとして用い、環境温度が上昇したことを観察し、ペットにとって適切でない場合、環境温度が設定温度まで上がっていない場合でも、ユーザは、遠隔制御方式で扇風機をＯｎして環境温度を下げることができる。
【００２５】
本考案のネットワークスマート型ホーム監視制御扇風機は、モバイル機器に取付けたアプリを使用し、参考インタフェースを使用し、図６に示すように、アプリのインタフェースを介して操作した家電を選択したり、扇風機を直接Ｏｎ・Ｏｆｆしたり、扇風機の稼働条件（例えば、起動条件の設定、シャットダウン条件の設定、風速、風量、羽根の旋回、稼働時間の設定など）を設定したりしてもよい。
図６に示すように、選択項目をＦＡＮ−１の扇風機にし、このときに測定した環境温度が２６℃であり、自動的に扇風機をＯｎする温度を２５℃に設定し、自動的に扇風機をシャットダウンする温度を２２℃に設定し、扇風機が起動された後の風速をレベル１０にし、２時間後に自動的にシャットダウンするように設定してもよい。
【００２６】
図７を参照する。図７に示すように、アプリ中の「制御項目の切換え」により、操作インタフェースを撮影レンズモジュールが受信した画像へ切換え、下方の制御領域で撮影レンズモジュールが受信した画面角度を調整し、音声モジュールを介して室内の音声を受信したり、室内にいる人と対話したりしてもよい。
【００２７】
上述したことから分かるように、本考案のネットワークスマート型ホーム監視制御扇風機は、温度センサモジュールにより環境温度を随時検出することができ、制御モジュールで扇風機本体を自動的にＯｎ・Ｏｆｆして環境温度をリアルタイムで調整することができる上、撮影レンズモジュール及び音声モジュールにより環境状況をリアルタイムで監視する。また、無線通信モジュールは、全ての測定信号をリモート設備に伝達する。例えば、ユーザのコンピュータ又はモバイル機器へ送信し、対応したアプリを組み合わせ、ユーザが本考案のネットワークスマート型ホーム監視制御扇風機を遠隔制御してもよい。
【００２８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２９】
１    扇風機本体
２    制御モジュール
３    撮影レンズモジュール
４    温度センサモジュール
５    無線通信モジュール
６    音声モジュール
１１  保護ガード
１２  スタンドポール
２１  操作スクリーン
２２  操作ボタン
５１  赤外線通信モジュール
【図１】
0003218675.tif 000003
【図２】
0003218675.tif 000004
【図３】
0003218675.tif 000005
【図４】
0003218675.tif 000006
【図５】
0003218675.tif 000007
【図６】
0003218675.tif 000008
【図７】
0003218675.tif 000009